(57)【要約】  装置は、容器の首部（３）を閉鎖するための取り外し可能な蓋（２０）、及び首部のリップを気密に覆うための剥離可能な膜とを有する。容器の良質なシールを保証するために、蓋を再閉鎖するとき、膜の剥離可能な層は、首部（３）のリップ（６）の内部域（６１）のみを覆うのに適しており、蓋は内部域（６１）とは異なるリップの外側域（６２）を漏れが生じないように当接するスカート（２４）を内部に有し、また前記スカートは、概ね円筒形状と広がった形状との間で塑性変形可能であり、前記スカートの内側面は、その広がった形状のスカートと首部のリップとの間の協働と本質的に関連する当接力（Ｆ2）を伝えるための伝達面（２４４）を有する。
2007511426.tif 000002
【特許請求の範囲】
【請求項１】
容器（２）の管状の首部（３）、特にボトルのほぼ円筒状の首部、を閉鎖するための閉鎖装置であって、当該閉鎖装置は、第１に首部を閉鎖するための筒状の蓋（２０）を有し、該蓋は首部のリップ（６）の外側域（６２）に対して漏れが生じないように当接するためのスカート（２４）を内部に有し、またそれを首部に解放可能に連結されることを可能にする手段（２３）を有し、そして第２に、首部のリップを気密に覆うための膜（１０）を有し、該膜はそれを首部のリップに固定するために剥離可能な手段（１２）を有していて、前記外側域（６２）とは異なる首部のリップの内部域（６１）のみを覆うためのものであり、当該装置は、リップ（６）の外側域（６２）に当接するためのスカート（２４）が、蓋と同軸上の概ね円筒形状を呈する第１の形状と、蓋の開放端部に向けて広がる第２の形状との間で塑性変形可能であることを特徴とし、また前記スカート（２４）の内側面は、第２形状のスカートが首部（３）のリップ（６）と協働することに本質的に関連する当接力（Ｆ2）を伝達するための第１面（２４４）を有することを特徴とする、閉鎖装置。
【請求項２】
蓋は、膜（１０）が首部（３）のリップ（６）に固定される前に、膜を蓋の内側に保持するための保持手段を内部に備えていることを特徴とする請求項１に記載の装置。
【請求項３】
膜（１０）を保持するための保持手段（２４６）が、リップ（６）の外側域（６２）に対し当接するために、スカート（２４）の内側面に支持されていることを特徴とする請求項２に記載の装置。
【請求項４】
膜（１０）の最大の半径方向の寸法は、首部（３）のリップ（６）の外径（Ｄ6）よりも小さいように適合されていることを特徴とする請求項１〜３のいずれかに記載の装置。
【請求項５】
蓋（２０）の端壁（２１）の部分（２６）は、粘着性の物質（２６１）に覆われていて、膜が首部（３）のリップ（６）に固定される前に、膜（１０）を蓋の端壁に保持するように適合されていることを特徴とする請求項１〜４のいずれかに記載の装置。
【請求項６】
リップ（６）の外側域（６２）に当接するためのスカート（２４）の底面は、第２面（２４３；２４３’）を有し、該第２面は蓋の解放可能な結合手段（２３）と、首部（３）の対応する手段（５）との間の協働と本質的に関連する当接力（Ｆ1）を伝えるためのものであることを特徴とする請求項１〜５のいずれかに記載の装置。
【請求項７】
第２伝達面（２４３’）は、変形可能な環状ビードにより支持され、該ビードは、リップ（６）の外側域（６２）に当接するためスカート（２４）の内側面から半径方向へ突出していることを特徴とする請求項６に記載の装置。
【請求項８】
第１及び第２伝達面（２４４及び２４３；２４３’）は、互いに異なることを特徴とする請求項６又は請求項７に記載の装置。
【請求項９】
第１及び第２伝達面（２４４及び２４３；２４３’）は凹面（２４５）によって分離されていることを特徴とする請求項８に記載の装置。
【請求項１０】
蓋（２０）はまた、膜をリップ（６）の内部域（６１）に固定するときに、膜（１０）に当接するスカート（２５）を内部に備えており、前記スカートは、リップの外側域（６２）に当接するためのスカート（２４）の半径方向内側に配置され、また蓋が首部（３）に結合されたとき、リップの内部域にほぼ一致して位置付けられていることを特徴とする請求項１〜９のいずれかに記載の装置。
【請求項１１】
膜（１０）に当接するためのスカート（２５）は屈曲性があることにより、ひとたび膜（１０）が離れてしまうと、スカートは、蓋（２０）が首部に結合されるとき、首部（３）のリップ（６）の内部域（６１）に当接することを特徴とする請求項１０に記載の装置。
【請求項１２】
漏れ止めされた容器（２）であって、当該容器から内容物を注ぎ出すための首部（３）を、該首部を閉鎖するための閉鎖装置（１）とともに有し、該閉鎖装置は請求項１〜１１のいずれかのものである容器。
【発明の詳細な説明】
【技術分野】
【０００１】
本発明は、容器の管状の首部を閉鎖するための装置、及びかかる装置を備えた漏れ止めされた容器に関する。
【０００２】
より詳しくは、本発明は、首部を閉鎖する蓋と、前記首部のリップを気密に覆う剥離可能な膜との両方を有することによって、容器が閉鎖されているとき、例えばボトルラインの末端と、容器の内容物、特に飲物が消費者によって開けられる最初の場合との間に容器が周囲の空気に接触しないことを保証する閉鎖装置に関する。
【０００３】
このために、膜は一般に、首部に隣接した側で覆われるアルミニウム層を有し、該首部は、首部のリップに加熱シールするための剥離可能な合成被膜で閉鎖される筈のものである。かかる膜を設置するために、現在行われていることは、設置されるべき膜でその端壁の下面を覆い、その後まさに充填が行われた容器の首部に蓋を取付けることによって、蓋を利用することである。膜が剥れないように、特に蓋が、容器の首部に一致して取付けられる前に、それが蓋から落ちないように、膜は、その直径が蓋の内径よりも僅かに大きいように寸法決めされており、これは、その直径が首部のリップの外径に等しいか、或いは僅かに大きいことを意味している。ひとたび蓋が、例えば首部にねじ込んで、容器の首部に取付けられたら、膜は、蓋の端壁と首部のリップとの間に介在される。容器はその後、電流が膜のアルミニウム層に流れる誘導電流を引き起こしてそれを加熱する誘導板の近くに置かれる。合成被膜は溶け、それ故首部のリップに加熱シールされる。初めての容器の使用時に、消費者は蓋をねじ外し、膜を剥がして取り除く。
【０００４】
かかる装置は、容器がボトルラインを去るときシールされていることを保証するが、それにはいくらかの欠点がある。第１に、使用者が膜を剥がすとき、剥離可能な合成材料の残留物、及び場合によりアルミニウムの残留物も首部のリップに残っており、消費者は清潔さに欠ける、すなわち健康上の危険になると考えることがしばしばである。その上、再閉鎖さられるときの装置のシールは、首部のリップ上に剥離可能な合成材料の残留物があるため、一般に中途半端である。蓋が首部へねじ戻されると、残留物は、蓋と首部との間にすき間を作り、容器の内容物の十分な保存を害する。
【０００５】
この欠点を避けるために、装置の使用者は、容器を再び閉めるとき、蓋をきちんとクランプし直す気にさせられる。しかしながら、このような取扱いは、使用者には厄介であり、子供たち又は高齢者のような一定の使用者には、実際には無理であり、また蓋及び／又は首部に加えられるゆがみのため、結局役に立たない。
【０００６】
フランス特許第２８２８１７３号公報は、容器が閉鎖され、また再閉鎖されるとき、首部のリップの外側域に当接する蓋の内部シールスカートを提供することによって、この問題を解決することを提案しており、外側域は、剥離可能な膜が前もって加熱シールされている内部域とは異なるものである。リップの前記内部域上の接着剤のあらゆる付着、及び膜を加熱シールすることから起こるあらゆる損傷も、内部スカートによって与えられるシールの品質には支障を来たさない。しかしながら、そのシールは、スカートが屈曲性を有するように設計されていて、それが、首部のリップの外側域に弾性的に当接するという事実によってのみ確実となる。再閉鎖の際には、十分シールするために首部の回りに蓋をきちんとクランプし直すことが、それ故使用者には必要であり、上述の欠点が伴う。その上、その弾性のため、スカートは、蓋が取り外されると、その最初の形状に戻ることで、首部に対する当接部を形成することによって再閉鎖の際に、使用者の妨げになるというおそれがある。
【０００７】
本発明の目的は、再閉鎖されるときに容器の確実なシールを保証し、一方、最初の包装の際に容器に取付けることも、いかなる消費者による使用のためにも依然として容易な、上述の型式の蓋及び膜装置を提供することにある。
【０００８】
【特許文献１】フランス特許第２８２８１７３号公報
【特許文献２】ドイツ特許第１９６５１９９６号公報
【特許文献３】米国特許公開第４５９８８３５号公報
【特許文献４】米国特許公開第４４２９８０２号公報
【特許文献５】欧州特許公開第０１７９４９８号公報
【特許文献６】米国特許公開第２００３／０５７１７６号公報
【特許文献７】特開昭５９−２０９５４３号公報
【特許文献８】国際公開ＷＯ０３／０５９７６８号公報
【発明の開示】
【０００９】
本発明は、容器の管状の首部を閉鎖するための装置を与えており、請求項１に記載されるように、特にほぼ円筒状の首部のボトルである。
【００１０】
本発明において、第１に、剥離可能な膜をそこに固定できるようにするリップの内部域と、第２に、特に容器が再閉鎖されるときに、蓋のスカートが当接するようになるリップの外側域との間には相異がある。剥離可能な材料の残留物が、前記外側域に存在しないと、それに対してスカートは完全に漏れを生じないように当接することができて、この当接力の強さが、本質的にはその塑性変形した形状のスカートと、リップの外側域との間の協働作用であるため、使用者は、再閉鎖の間に申し分のないシールを得るために、蓋をきちんと閉める必要がない。さらに、その広がって変形した形状においては、シールスカートは、蓋を首部の周りに置いても妨げにならない。
【００１１】
容器の最初の閉鎖は、例えばボトルラインの末端で、従来技術に使われているそれに類似して、すなわち首部に固定する膜を内部に備えている蓋を、容器の首部に置くことによって行われる。
【００１２】
閉鎖又は技術的にあらゆる実行可能な組み合わせを考慮した本発明の有利な特徴が、請求項２から１１までに記載されている。
【００１３】
本発明はまた、上述するように、首部を閉鎖するための装置に加えて、容器から内容物を注ぎ出すための首部を有する漏れ止めされた容器を備えている。
【００１４】
本発明は、実例によって与えられる以下の説明を読み、図面を参照することによってさらに良く理解され得る。
【００１５】
図１は、例えば液体飲料を含むための、漏れない容器２を閉鎖するための閉鎖装置１を示す。図１では、容器２の首部３のみが見えていて、容器は、ポリエチレンテレフタレート（ＰＥＴ）のようなプラスチック材料、ガラス、又は対象としている液体の保存に適合するあらゆるその他の材料のボトルによって構成される、すなわち一般的には、それは食品用に属する。首部３は、軸Ｘ−Ｘまわりの形状では本質的に円筒型であり、その外面４には螺旋状ねじ５が設けられている。首部３の自由端は、丸みのある形状又は少なくとも尖っていないリムすなわちリップ６を形成している。
【００１６】
装置１は、基本的に膜１０及び蓋２０を有する。
【００１７】
便宜上、以下の説明が前提としていることは、容器２と向かい合っている装置１の部材が下方に向いている、すなわちそれらは、図１及び２Ａから２Ｃについて下部の方へ向けられているが、反対向きに向いている部材は、外向き、すなわち同じ図の上部の方へ向いているとみなされることである。
【００１８】
膜１０は、首部３と同じ軸を有するように図１に示されるアルミニウムデイスク１１を有する。デイスク１１の底面は、首部３のリップ６を膜１０と気密に結合するのに適した合成材料、例えばポリエチレンの層１２に完全に覆われている。正確には、層１２は、膜１０が、特にアルミニウムデイスクに誘導電流を発生することによって、温度の上昇を受けるとき、リップ６に加熱シールされるのに適しており、その上、その後に手で剥がされるのに適している。このために、膜１０は、膜が剥がされている間アルミニウムデイスクが破れないことを確実にするために、プラスチック材料の層１３を、また膜１０を取り除くために使用者によって掴まれるプルタブ１４を、都合よくその上部面に設けられている。
【００１９】
図示しない変形例において、アルミニウムデイスク１１の底面の輪郭のみが、剥離材料１２で覆われている。
【００２０】
いずれにせよ、剥離被膜１２の直径ｄ12は、首部３のリップ６の外径Ｄ6よりも小さいが、一方、当然リップの内径ｄ6よりも大きい。すなわち、リップ６の内部周辺域６１のみが、以下に非常に詳しく説明されるように、膜１０の加熱シール材料１２によって覆われる。リップの残部、すなわち域６１と異なる外側周辺域には、参照番号６２に与えられている。
【００２１】
蓋２０は、形状では概ね円筒型であり、首部３と同じ軸を有するように図１に示されている。それは、漏れを生じないように首部を閉鎖するのに適していて、このためにその周辺から下の方に突出している主要円筒状スカート２２を有する中実デイスクの形状の端壁２１を有しており、そのスカートの内径は、首部３のねじ５の外径にほぼ等しい。
【００２２】
主要スカート２２の内側面には、首部３の外部ねじ５と相補的な突出ねじ２３が設けられており、したがって蓋２０は、首部３にねじ込まれたり、またその縦軸Ｘ−Ｘまわりに対応して回転することによってねじを外すのに適している。
【００２３】
軸Ｘ−Ｘを中心とする２つの同軸の内部スカート２４及び２５は、蓋２０の内部に設けられ、端壁２１から下部の方に突出している。蓋２０が、図１に示されるように首部３の位置にないとき、これらの内部スカート２４及び２５は、主要スカート２２に概ね平行して延びている。
【００２４】
図２Ａに非常に詳細に示されるように、第１内部スカート２４は、第２内部スカート２５よりも軸Ｘ−Ｘから半径方向へさらに離れているが、管状本体２４１によって構成されており、該管状本体は、本体２４１の残部よりも少し厚みがあるルート２４２で蓋２０の端壁２１に結合している。ルート２４２は、図１のｄ242に参照される直径の本質的に円筒状の内側面を提供しており、膜１０のアルミニウムデイスク１１の径、すなわち図示されている膜についての直径ｄ12よりも僅かに、非常に小さい。ルート２４２の内側面は、さらに以下に非常に詳細に説明されるように、蓋に組み付けられている状態で、膜１０に対する一種のくさびを形成する。１ミリメーターの約１０分の１の直径間の差は、このようなくさび作用が実際に生じることを可能にしている。
【００２５】
内部スカート２５は、同様にスカート２４の本体２４１のサイズよりもかなり小さい軸サイズの管状本体２５１によって形成されていてこの軸のサイズは、例えば厚みを引いたルート２４２の軸方向高さくらいに相当する。その外面２５２は、特にその底部では、端壁２１に向けて上方に広がっている。
【００２６】
スカート２４の本体２４１の内側面は、ルート２４２と本体２４１の残部との間の遷移域において二つの内向隆起凸面２４３及び２４４を有し、これらの２面は軸Ｘ−Ｘに沿って前後に配置されている。これらの隆起面２４３及び２４４は、凹面２４５で軸Ｘ−Ｘに沿って互いに分離されている。
【００２７】
第１内部スカート２４の下端部にはまた、一連の突出部２４６が設けられていて、前記スカートの周辺周りに分配され、スカートの内側面から半径方向内方へ延びている。例として、これらの連続は、各対が直径方向に対向する６個の突出部２４６を有する。二つの直径方向に対向する突出部の間における図１のｄ246に参照される半径方向の距離は、膜１０のアルミニウムデイスク１１の直径より、すなわち膜１０についての直径ｄ12よりも小さい。このように、突出部２４６の上部面２４７は、膜が首部３のリップ６を固定される前に、膜１０が下へ落ちることを防止するための安全性保持面を構成している。
【００２８】
有利に、突出部２４６の底面は、以下に説明される理由のために、下方に広がっている。
【００２９】
閉鎖装置１を容器２の首部３に取付ける方法を、図２Ａから２Ｃを参照して、以下に説明する。
【００３０】
最初に、首部３、膜１０、及び蓋２０が互いに独立して作られ、これらは例えば図１に示される状態で得られる。
【００３１】
最初の段階では、膜１０は、蓋の内側に膜を挿入することによって、蓋２０に取付けられる。正確には、図２Ａに示されるように、膜１０は、例えば膜を弾性的に変形させることにより、第１内部スカート２４の内側に配置され、それにより、その縁部がスカート２４のルート２４２に対して噛み込む。この構成において、蓋は、膜１０が蓋の内側から離れるおそれを生じることなく任意の向きに取り扱え、その理由は、ルート２４２から分離されることになっても、下方においては突出部２４６によって、上方においては端壁２１によって、また横方向においてはスカート２４の本体２４１によって、確実に保持されるからである。
【００３２】
図示しない変形例において、膜１０は、ルート２４２と噛み込み接触させられることなく、スカート２４の内部に配置される。膜１０はそのとき、剥離層１２が突出部の上部面２４７に押し付けられた状態で、突出部２４６上に直接置かれる。
【００３３】
容器２の首部３を、例えば腐敗しやすい液体、又は一般的には食料品が充填された後直ちに、気密に閉鎖するために、膜１０付き蓋２０は、首部３の真上位置に、そして首部と同軸上の位置にもってこられる。例として、この操作は、ボトルラインの最後で行われ得る。
【００３４】
その後、蓋２０は、蓋が首部３に対して押し付けられるか、さもなければ首部のまわりにねじ込まれるかされて、ねじ５と２３とが係合するように首部３の方に動かされる。
【００３５】
蓋２０の端壁２１が首部３のリップ６に近づくと、首部は、突出部２４６の広がった下部面２４８が、そのときリップ６のために傾斜面を形成することによって、半径方向外向きにスカート２４を広げる。スカート２４の本体２４１はそのとき、図２Ａに示されるように、一般に円筒形状から一般に円錐台形状に変化し、この形状は図２Ｂに示されるように、ルート２４２が、好ましくは本質的に塑性的に変形された状態で、下向きに広がっている。
【００３６】
蓋２０が引き続き、首部３の方に動くにつれて、膜１０は、図２Ｂに示されるように、リップ６の内部域６１とスカート２５の外面２５２との間で軸方向に挟み付けられる。膜が、最初に突出部２４６の上部面２４７上に載っている場合、それは、次いでリップ６によって上向きに持ち上げられることによって、内部スカート２５と接触させられる。
【００３７】
有利には、スカート２５の本体２５１は、その広がった外面２５２が対応する傾斜面を形成した状態で、内側に変形されるのに十分屈曲可能であるようになっている。
【００３８】
同時に、スカート２４の下部面は、リップ６の外側域６２と接触し、正確には、隆起面２４３及び２４４に当接する。
【００３９】
蓋２０及び膜１０を取付けられた容器２は、その後アルミニウムデイスク１１に誘導される電流を引き起こす電磁場にさらされ、それにより少なくとも部分的に層１２が溶融する。冷却すると、層１２は、膜１０の残部をリップ６の内部域６１に結合する。
【００４０】
したがって容器は、気密に閉鎖されて販売場所、すなわち一般的には最終消費場所に運搬される。膜が、蓋の端壁に噛み込むことができるようにするために、より大きな直径である従来技術の装置と比較すると、装置１の膜１０は、より小さな直径であり、それ故コストが安くなる。
【００４１】
容器２の使用者が、初めて容器を開けようとするとき、蓋２０は、首部３に固定された膜１０へのアクセスを与えるためにねじを外される。使用者は、タブ１４を掴み、層１２を剥がすことによって膜を分離する。この剥離動作は、リップ６の内部域６１に剥離可能な材料の残留物を残すことができる。
【００４２】
残留物は外側域６２には残らない。
【００４３】
容器２から内容物の一部を注ぎ出した後、使用者は、図２Ｃに示されるように、首部３へ蓋２０をねじ込むことによって、容器を再閉鎖する。蓋２０を標準的な量で締め付けることによって、使用者は、矢印Ｆ1に表されるように、スカート２４の上部隆起面２４３がリップ６の外側域６２に容易に当接させて、首部３と蓋２０との間にシールの第１のラインのシールを形成することができる。その上、使用者が蓋をいかにきつく回すかとは一般に無関係に、下方の隆起面２４４は、矢印Ｆ2に表されるように、リップ６の外側域６２に当接させられて、第２のラインのシールを形成する。
【００４４】
第２のラインのシールにおける当接力Ｆ2は、広がった形状のスカート２４と、首部３のリップ６との間の協働に本質的に関係していることに注意すべきである。スカート２４が、塑性的に変形され、一方で蓋２０が、上述したように首部３に取付けられている限りにおいて、また閉鎖したかたちでのボトルのその後の保管中においては、面２４３を経て、リップの外側域６２に、スカート２４によって伝達される当接力Ｆ2が、無視できないものであることを保証するために、蓋を堅く閉めることは使用者には必要がない。逆に、蓋をきつくねじ外せばそれだけ一層、当接力Ｆ1も大きくなることが理解されるであろう。
【００４５】
その上、広がった形状で塑性的に変形されていると、スカート２４は、首部３との当接部を形成するおそれを何ら生じないため、蓋２０を回してねじ戻すときに、使用者の妨げにはならない。
【００４６】
図２Ｃに示されるように、内部スカート２５の屈曲性は、ボトルを再閉鎖すると、例えば強い締め付け力が、蓋２０に加えられて、このスカートの外面２５２が、リップ６の内部域６１に当接するように有利に設計されている。第３のラインのシールはこのようにして形成されるが、その特性は、それにもかかわらずリップ６の前記域に剥離可能な材料１２の残留物が存在する可能性があるため、制限がある。
【００４７】
装置１の２つの変形例が図３Ａ及び３Ｂ並びに図４に、それぞれ示される。これらの変形例では、図１及び２Ａから２Ｃまでの装置に共通している部材には、同じ参照番号を与えられている。
【００４８】
図３Ａ及び３Ｂの変形例において、内部スカート２４は、上部隆起面２４３を有することの代わりに、スカートの内側面から半径方向へ突出する環状のビード２４９を備えている。このビードの底面は、面２４３と同様に作用する面２４３’を有している。正確には、面２４３’は、使用者が容器２を再閉鎖するときに、蓋２０に加わる挟み付けトルクと関係がある当接力Ｆ1を伝達するのに適している。
【００４９】
図３Ａ及び３Ｂのこの変形例はまた、第２内部スカート２５の外側面２５２の外形において、前図の装置と異なっている。この面の底部２５３は、以下のようにリップ６の内部域６１にほぼ相補的であるように形付けられており、すなわち第１に、蓋２０が最初に首部３に取付けられると、膜１０は域６１に一定の様式で押さえ付けられること、また第２に、膜が剥がされて蓋がねじ戻されると、大きな当接面積がスカート２５と域６１の間に形成される。
【００５０】
図４の変形例において、蓋２０の端２１の底面は、前記端壁と一体形成された軸Ｘ−Ｘ上の突出デイスク２６を中央に備えている。端壁の底面に対するデイスクの軸方向の寸法ｘ２６は、その変形していない状態でのスカート２５の軸方向の寸法にほぼ等しい。デイスクの底面は、蓋２０への膜１０の取付けを容易にするために、僅かに粘着性の物質２６１に覆われている。膜がスカート２４に挿入されると、これはその上面が、粘着性の物質２６１と接触するまで上方にもってこられ、粘着性の物質は次いで、蓋が首部３に組み付けられるまで、膜を蓋の端壁に対して保持する役を果たす。ひとたび膜１０が加熱シールされたら、膜６と蓋の中央デイスク２６との間の接着結合を維持することはもはや必要ではない。その上、蓋２０が、最初にねじ外されると、この接着結合は、膜とリップとの間の剥離可能な加熱シール結合の強さが非常に大きいことから、非常にたやすく壊れてしまう。
【００５１】
この変形例は、膜の直径及びスカート２４のルート２４２の内径ｄ242の相対的寸法の正確な調整を省くことを可能にしており、その理由は、ルートはもはや単独で蓋の端壁に対して膜１０を保持する作用をしていないからである。その上、粘着層２６１は、ルート２４２による噛み込みよりも安定であるように、特に振動やボトルラインに沿って、蓋を動かすために使われる圧縮空気の噴出に影響を受けないように、膜を保持する役割を果たす。
【００５２】
上述の装置には様々な改良例及び変形例が予想され得る。例えば、突出部２４６は、特にオリーブ型のリップの様式で、スカート２４の内側面全周の周りに連続して延びる屈曲性のあるリップに置き換えることができるであろう。同様に、膜１０のプルタブ１４は、上部層１３の周辺の外形の一部に対して上部層１３と同じ材料から一体で作られ、膜が蓋に取付けられると、前記層の上部面の上へ下方に折り曲げられるのに適しているプル縁に置き換えることができる。
【図面の簡単な説明】
【００５３】
【図１】本発明の閉鎖装置であって、ボトルの首部に取付けられる前の分解縦断面図である。
【図２Ａ−Ｃ】装置をボトルの首部に組み付ける際の、連続する３段階をそれぞれ示す図１における円ＩＩ内の詳細の拡大図である。
【図３Ａ−Ｂ】本発明の装置の第１の変形例に関する図２Ａ及び２Ｂに類似する図である。
【図４】本発明の装置の第２の変形例の部分的縦断面図である。
【図１】
2007511426.tif 000003
【図２Ａ】
2007511426.tif 000004
【図２Ｂ】
2007511426.tif 000005
【図２Ｃ】
2007511426.tif 000006
【図３Ａ】
2007511426.tif 000007
【図３Ｂ】
2007511426.tif 000008
【図４】
2007511426.tif 000009
【国際調査報告】
2007511426.tif 000010
2007511426.tif 000011
2007511426.tif 000012
2007511426.tif 000013
2007511426.tif 000014
2007511426.tif 000015